(57)【要約】【課題】    本発明は、従来の葦簀及び簾が数十本の葦をシュロまたは麻の紐で編んで仕上げられているので、直射日光や風雨に曝されると２〜3年で基の編み紐部分が朽ちて切れ、葦簀及び簾の全体、特に、葦簀の下半分が竹ほうきの如く散けて曲がったり折損したりし寿命となるのが一般的である故、散け防止及び補強器具を提供する。【解決手段】    本発明によると葦簀の葦と葦の間に鉤付コイル状器具を３〜４個平行に間隔を置いて差し込み、葦簀の表面と裏面のそれぞれの面に出ている鉤付コイル状器具の輪に押さえ棒を通して取り付け葦簀全体を補強する。簾も同様にする。    【選択図】図１
2014114561.tif 000002
【特許請求の範囲】
【請求項１】
葦簀及び簾が散けるのを防止および補強するためのもので、葦簀及び簾をサンドイッチ状に挟み固定するための複数の形状が３〜５巻きからなる鉤付コイル状器具と複数の押さえ棒から構成される葦簀・簾用散け防止・補強器具
【請求項２】
頻繁に折りたたみを必要とする葦簀において、折りたたみ部に編みこみ用の補強紐を用いた請求項１の葦簀・簾用散け防止・補強器具
【発明の詳細な説明】
【技術分野】
【０００１】
本発明は、立てかけて置いている葦簀及び吊るしている簾が長年の直射日光や風雨に曝されると編み紐が朽ちて切れたり、葦がばらばらに散け折れることにより、葦簀及び簾の寿命が短くなるのを防止するための解け防止及び補強器具に関するものである。          
【背景技術】
【０００２】
従来の技術は、葦簀に金具など取り付けて建屋や大地に固定するものが公開されている。例えば、特許公開２００５−０９０２１１号公報には、葦簀用転倒防止器具が開示されている。また、実公開平０６−０５２６７６号公報には、脚付よしずが開示されている。  
【先行技術文献】
【特許文献】
【０００３】
【特許文献１】特開２００５−０９０２１１号公報
【特許文献２】実開平０６−０５２６７６号公報
【発明の概要】
【発明が解決しようとする課題】
【０００４】
従来の葦簀は、数十本の葦をシュロまたは麻の紐で編んで仕上げられているので、直射日光や風雨に曝されると２〜3年で該編み紐部分が朽ちて切れ、葦簀全体が散けて寿命となるのが一般的であり、特に、葦の下半分が竹ほうきの如く散け、葦それぞれに均等に荷重が掛からなくなり、曲がったり折損したりする。
【０００５】
本発明は、該編み紐が朽ちて切れそれぞれの葦が散けることなく、初期の製作時の状態を保持する散け防止及び補強器具を提供することを目的とする。
【課題を解決するための手段】
【０００６】
本発明は、葦簀１の葦と葦の間に鉤付コイル状器具３を３〜４個平行に間隔を置いて差し込み、葦簀１の表面と裏面のそれぞれの面に出ている鉤付コイル状器具３の輪に葦簀１の幅より少し長めの押さえ棒４を通して、固定し取り付ける。即ち、二本の押さえ棒４で葦簀１をサンドイッチ状に挟み込む。この状態を一組とし、葦簀１の上下位置と中間位置に取り付ける。
【０００７】
上述の鉤付コイル状器具３の輪に押さえ棒４を通した葦簀１は強風などにより散けたり、どちらか一方に片寄ったりすることがないし、風などによる摩擦も少なくなり、基の編んでいる紐２も切れ難くなる。
【０００８】
また、鉤付コイル状器具３や押さえ棒４の数を多く使い固定箇所を増すと、葦簀１の強度を増やすことができるし、一般の葦簀１より日よけや風雨よけとして長く利用できる。
【０００９】
葦簀１を頻繁に折り曲げる必要のある場合は、鉤付コイル状器具３を２個    使い短い押さえ棒４−１を２本上述の要領でセットし、これを１セットとし「図７」の如く上下の位置及び中間の位置に３セット取り付けるとその切れ目で容易に折り曲げることができる。
【００１０】
葦簀１を頻繁に繰り返し折り曲げていると、基の編んでいるその部分の紐２が切れやすくなるので、予め頻繁に繰り返し折り曲げる部分に、鉤付コイル状器具３を編み具として使って、別の補強紐７で補強しておけば、たとえ基の編んである紐２が切れたとしても、補強してあるので、葦簀１は散けたり折れたりし難くなる。
【００１１】
鉤付コイル状器具３を編み具として使って補強する仕方は、補強する所の幅の５倍ぐらいの補強紐７を用意し、補強する所の一方の端から葦２本を補強紐７で結ぶ。結んだ補強紐７の長さが、表側と裏側で２対３の割合で残るように結び、結んだ所より２本開けて鉤付コイル状器具３の鉤部分を表より裏に差込み裏の補強紐７を表に出し、引っ掛けて出した部分は輪になっているので、輪の中に表の補強紐７を通し、通した補強紐７を持ったまま裏の補強紐７を引っ張る。補強したい幅まで鉤付コイル状器具３の鉤部分を使い、上述の作業を繰り返す。最後に表の補強紐７を裏側に引き、裏側で両方の補強紐７を結ぶと、補強したい所まで編めている。
【００１２】
鉤付コイル状器具３は３〜５巻きが最適な巻き数である。６巻き以上ではコイル状器具が葦と葦の間に挿入し難く、また、２巻きではコイル状器具を葦と葦の間に保持し難い。また、コイル状器具３の材質は金属製で、その素線径は１〜３ｍｍ程度で、コイル内径は、押さえ棒４の直径の二倍プラス葦の直径プラス間隙３〜５ｍｍ程度とする。押さえ棒４の材質は金属製、木製または樹脂製である。
【００１３】
簾用散け防止・補強器具についても、葦簀用散け防止・補強器具を小型化することにより、同様に取り付けることができる。簾８に鉤付コイル状器具３−１を簾８の表面と裏面のそれぞれの面に出ている鉤付コイル状器具３−１の輪に押さえ棒４−２を通して、固定し取り付ける。
【発明の効果】
【００１４】
本発明の効果は、該発明を取り付けた葦簀１や簾８において、長年の直射日光や風雨に曝されて仮に基の編み紐２が朽ちて切れても、葦がばらばらに散け折れたり、どちらか一方に片寄ることがないので葦簀１及び簾８の寿命が長くなる。
【００１５】
下段の押さえ棒４にブロックなどの重いものを結んでおけば、風による葦簀１の倒れ及び一方に片寄ったりするを防ぐことができる。
【００１６】
葦簀１の表面が、日差しや風雨で汚れが目立つようになった時、鉤付コイル状器具３を使い押さえ棒４で葦簀１を固定しておけば、そのまま容易に裏返して、裏面を表面として使うことができる。
【００１７】
葦簀１を固定する押さえ棒４−１を短くし鉤付コイル状器具３で止めれば、好きな幅で折りたたむことができるし、また、頻繁に折りたたむ箇所を鉤付コイル状器具３を編み具として使い、始めから強い補強紐７で編んで補強しておけば切れ難く長持ちする。
【００１８】
葦簀１を格納する時は、鉤付コイル状器具３で固定されている押さえ棒４を片方に引っ張って抜くだけで、簡単に鉤付コイル状器具３を取り外すことができ、普通に巻いて格納することができる。次にまた必要な時は、この逆の作業で再度使うことができる。
【００１９】
鉤付コイル状器具３を使って押さえ棒４を高いところに固定しておけば、鉤付コイル状器具３の鉤部分に朝顔やごうやなどのつるものを誘因するネット９を簡単に掛けて張ることができる。鉤部分を使用しないときは、鉤部分を上方向に回転させ出っ張りをなくすることができる。図４参照。
【００２０】
時々の季節の飾りに、ヒマワリや朝顔の造花をまたはタコやイカや魚の絵を鉤付コイル状器具３の鉤部分に掛けると見た目も楽しい。
【００２１】
散け防止・補強器具で固定した簾８は９０度回転させて横向きに長く伸ばして、ベランダやマンションのテラスの日よけや目隠しとして利用できる。
【図面の簡単な説明】
【００２２】
【図１】散け防止・補強器具を取り付けた葦簀の正面図
【図２】Ａ部拡大図
【図３】Ｂ−Ｂ矢視図
【図４】Ｃ矢視図
【図５】鉤付コイル状器具の斜視図
【図６】鉤付コイル状器具で葦簀をブロックに連結紐で結びつけた図
【図７】折り曲げを必要とする該発明器具を取り付けた葦簀の正面図
【図８】該発明器具付葦簀を折たたむときの要領図
【図９】Ｄ部詳細図
【図１０】鉤付コイル状器具を使って葦簀を補強紐で編んでいる図
【図１１】該発明器具を取り付けた簾の正面図
【図１２】該発明器具を取り付けた簾を９０度回転させた図
【図１３】鉤付コイル状器具に朝顔用ネットを取り付けた図
【図１４】該発明の実施写真図
【図１５】鉤付コイル状器具の写真図
【発明を実施するための形態】
【００２３】
以下、本発明に係る葦簀・簾用散け防止・補強器具の好ましい実施形態を添付の図面に基づき説明する。
【実施例】
【００２４】
図１は本発明にかかる該発明器具を取り付けた葦簀の正面図であり、葦簀１と該発明品の配置関係を示している。
【００２５】
図２はＡ部拡大図、図３はＢ−Ｂ矢視図、図４はＣ矢視図であり、それぞれの方向からの葦簀１と該発明品との関係を拡大表示している。
【００２６】
図５は鉤付コイル状器具３の斜視図で鉤部とコイル部が３巻きである関係を示している。
【００２７】
図６は鉤付コイル状器具３で葦簀１をブロック５に連結紐６で結びつけた図で、葦簀１が風などで移動しないことを示している。
【００２８】
図７は折り曲げを必要とする該発明器具を取り付けた葦簀１の正面図であり、図１に比べ押さえ棒４−１が短く、補強紐７が追加されている。
【００２９】
図８は該発明器具付葦簀１を折たたむときの要領図である。
【００３０】
図９はＤ部詳細図で、折りたたむ部分の補強紐７の関係を示している。
【００３１】
図１０は鉤付コイル状器具３と補強紐７を使って葦簀を補強してる図で、該鉤付コイル状器具３を編み具として使っている様子を示す。
【００３２】
図１１は該発明器具を取り付けた簾８の正面図で、該発明品を小型化したものである。
【００３３】
図１２は該発明器具を取り付けた簾８の正面図を９０度回転させた図で、ベランダやテラスの目隠しとして利用する。
【００３４】
図１３は鉤付コイル状器具に朝顔用ネット９を取り付けた図で鈎部が多目的に使えることを示している。
【００３５】
図１４は該発明の実施写真図で鉤付コイル状器具３と押さえ棒４、葦簀１の相互関係が写っている。
【００３６】
図１５は鉤付コイル状器具３の写真図で、鉤部の形状及びコイル部が３巻きであることが理解できる。
【産業上の利用可能性】
【００３７】
葦簀及び簾は殆どが中国からの輸入品であり、一般的に品質が悪く強度的に弱い。よく店先の葦簀及び簾が散けているのを目にする故、葦簀・簾の散け防止・補強器具の需要はかなりあると確信している。
【符号の説明】
【００３８】
１  葦簀  
２  シュロまたは麻の編み紐  
３  鉤付コイル状器具
３−１  鉤付コイル状器具  
４  押さえ棒
４−１  押さえ棒
４−２  押さえ棒
５  ブロック
６  ブロックと鉤付コイル状器具間の連結紐
７  補強紐
８  簾
９  ネット
【図１】
2014114561.tif 000003
【図２】
2014114561.tif 000004
【図３】
2014114561.tif 000005
【図４】
2014114561.tif 000006
【図５】
2014114561.tif 000007
【図６】
2014114561.tif 000008
【図７】
2014114561.tif 000009
【図８】
2014114561.tif 000010
【図９】
2014114561.tif 000011
【図１０】
2014114561.tif 000012
【図１１】
2014114561.tif 000013
【図１２】
2014114561.tif 000014
【図１３】
2014114561.tif 000015
【図１４】
2014114561.tif 000016
【図１５】
2014114561.tif 000017